(57)【要約】【課題】  クリーム、ローション、および皮膚コンディショナ等を用いることなく、表皮に刺激を与えて、その周辺の血液循環を促進し、筋肉の収縮を活気付けることができる顔面マッサージのための電気的刺激装置を提供する。【解決手段】    顔面マッサージのための電気的刺激装置は、マイクロプロセッサ１４１、刺激発生器１４２、およびパッド２を有する。マイクロプロセッサ１４１は、刺激発生器１４２を制御し、２本の導線１３を経てパッド２上の２つの電極２１にそれぞれパルス信号を生成する。パッド２を顔の皮膚に付着し、一組のスイッチボタン１２１、１２２を使用して、パルス波生成のためのパワーオンまたはパワーオフし、それから生成されるパルス波の強さを強めまたは弱めることによって、筋電刺激（ＥＭＳ）を顔の筋肉に与え、その周囲の血液循環を促進する。このように、筋肉の緊張および顔の組織は強化され、老化現象に起因する顔のしわおよびたるみを最小化できる。【選択図】            図１
2005245585.tif 000002
【特許請求の範囲】
【請求項１】
マイクロプロセッサと、
前記マイクロプロセッサにより制御され、パルス信号を生成する刺激発生器と、
操作を入力するために前記マイクロプロセッサに接続されるスイッチと、
顔の皮膚に付着可能な１つの面を有するパッドと、
前記パッドに取り付けられ、前記刺激発生器に電気的に接続された２本の電極と、
を有し、
振動数１００Ｈｚでパルス幅１００μｓのパルス波を連続して３分間生成する第１セッションと、振動数１３０Ｈｚでパルス幅８０μｓのパルス波を連続して３分間生成する第２セッションと、振動数１００Ｈｚでパルス幅１００μｓのパルス波を連続して４分間生成する第３セッションと、振動数８Ｈｚでパルス幅２０μｓのパルス波を連続して２分間生成する第４セッションと、振動数１００Ｈｚでパルス幅１００μｓのパルス波を連続して４分間生成する第５セッションと、振動数５Ｈｚでパルス幅３０μｓのパルス波を連続して２分間生成する第６セッションと、振動数１３０Ｈｚでパルス幅８０μｓのパルス波を連続して４分間生成する第７セッションと、振動数８Ｈｚでパルス幅２０μｓのパルス波を連続して２分間生成する第８セッションと、振動数１３０Ｈｚでパルス幅８０μｓのパルス波を連続して４分間生成する第９セッションと、振動数５Ｈｚでパルス幅３０μｓのパルス波を連続して２分間生成する第１０セッションと、を含む動作サイクルとして、顔の神経組織に筋電刺激を与える顔面マッサージのための電気的刺激装置。
【請求項２】
全てのセッションは連続し、合計３０分の動作サイクルが得られることを特徴とする請求項１に記載の顔面マッサージのための電気的刺激装置。
【請求項３】
前記マイクロプロセッサおよび前記刺激発生器が内部に設置され、前記ボタンが表面に設けられるハウジングをさらに有することを特徴とする請求項１に記載の顔面マッサージのための電気的刺激装置。
【請求項４】
前記パッドは、前記ハウジング上に直接設置されることを特徴とする請求項３に記載の顔面マッサージのための電気的刺激装置。
【請求項５】
前記刺激発生器および前記各電極を、それぞれ接続する２本の導線をさらに有することを特徴とする請求項３に記載の顔面マッサージのための電気的刺激装置。
【請求項６】
動作状況を示すために、マイクロプロセッサに接続された発光装置をさらに有することを特徴とする請求項１に記載の顔面マッサージのための電気的刺激装置。
【請求項７】
前記スイッチは、生成する前記パルス波の強さを、それぞれ強めおよび弱める２つのボタンを含むことを特徴とする請求項１に記載の顔面マッサージのための電気的刺激装置。
【請求項８】
前記パルス波の強さを強める前記ボタンは、装置の始動のためのパワーオンスイッチであることを特徴とする請求項７に記載の顔面マッサージのための電気的刺激装置。
【請求項９】
前記パルス波の強さを弱める前記ボタンは、順次前記パルス波の強さを弱めた後、装置の電源を切るパワーオフスイッチであることを特徴とする請求項７に記載の顔面マッサージのための電気的刺激装置。
【発明の詳細な説明】
【技術分野】
【０００１】
本発明は、顔面マッサージのための電気的刺激装置に関し、特に、顔の筋肉を運動させるために筋電刺激を与え、顔の筋肉を強くする装置に関する。
【背景技術】
【０００２】
人が年を取ると、顔の筋肉から緊張や弾力が失われ、垂れ下がる傾向にあることはよく知られている。顔の筋肉の緊張および弾力の低下は、顔にしわや二重あごを作る原因となる。誰も、特に女性は、年齢を重ねることによって、彼または彼女の顔の容貌のより目立つ部分またはあまり目立たない部分にできる線や、くぼみを望まない。一般的に、しわやくぼみがある外観は不快に思われている。したがって、皮膚の老化現象を遅らせ、止め、または逆に若返らせたいと要求されており、多くの製品や装置が市場に投入されている。それらの一つは、たとえば、顔のしわ取りやボツリヌス菌を用いたトリートメントのようなクリニック治療によるものである。とりわけありふれたものは、顔または体の皮膚をしっとりさせ、自然な状態にし、引き締めるためのクリームである。年齢によるしわの発生によるマイナス面を減少し、または解消するといわれている様々なクリーム、ローション、および皮膚コンディショナは、すぐに入手できる。しかし、常に、それらは継続使用されなくてはならず、間違いなく即時の効果が得られるものではない。
【発明の開示】
【発明が解決しようとする課題】
【０００３】
本発明は、上記事情に鑑みてなされたものであり、クリーム、ローション、および皮膚コンディショナ等を用いることなく、表皮に刺激を与えて、その周辺の血液循環を促進し、筋肉の収縮を活気付けることができる顔面マッサージのための電気的刺激装置を提供することを目的とする。
【課題を解決するための手段】
【０００４】
（１）  本発明の顔面マッサージのための電気的刺激装置は、マイクロプロセッサと、前記マイクロプロセッサにより制御され、パルス信号を生成する刺激発生器と、操作を入力するために前記マイクロプロセッサに接続されるスイッチと、顔の皮膚に付着可能な１つの面を有するパッドと、記パッドに取り付けられ、前記刺激発生器に電気的に接続された２本の電極と、を有し、振動数１００Ｈｚでパルス幅１００μｓのパルス波を連続して３分間生成する第１セッションと、振動数１３０Ｈｚでパルス幅８０μｓのパルス波を連続して３分間生成する第２セッションと、振動数１００Ｈｚでパルス幅１００μｓのパルス波を連続して４分間生成する第３セッションと、振動数８Ｈｚでパルス幅２０μｓのパルス波を連続して２分間生成する第４セッションと、振動数１００Ｈｚでパルス幅１００μｓのパルス波を連続して４分間生成する第５セッションと、振動数５Ｈｚでパルス幅３０μｓのパルス波を連続して２分間生成する第６セッションと、振動数１３０Ｈｚでパルス幅８０μｓのパルス波を連続して４分間生成する第７セッションと、振動数８Ｈｚでパルス幅２０μｓのパルス波を連続して２分間生成する第８セッションと、振動数１３０Ｈｚでパルス幅８０μｓのパルス波を連続して４分間生成する第９セッションと、振動数５Ｈｚでパルス幅３０μｓのパルス波を連続して２分間生成する第１０セッションと、を含む動作サイクルとして、顔の神経組織に筋電刺激を与える。
【０００５】
（２）  上記（１）の顔面マッサージのための電気的刺激装置であって、全てのセッションは連続し、合計３０分の動作サイクルが得られることを特徴とする。
【０００６】
（３）  上記（１）の顔面マッサージのための電気的刺激装置であって、前記マイクロプロセッサおよび前記刺激発生器が内部に設置され、前記ボタンが表面に設けられるハウジングをさらに有することを特徴とする。
【０００７】
（４）  上記（３）の顔面マッサージのための電気的刺激装置であって、前記パッドは、前記ハウジング上に直接設置されることを特徴とする。
【０００８】
（５）  上記（３）の顔面マッサージのための電気的刺激装置であって、前記刺激発生器および前記各電極を、それぞれ接続する２本の導線をさらに有することを特徴とする。
【０００９】
（６）  上記（１）の顔面マッサージのための電気的刺激装置であって、動作状況を示すために、マイクロプロセッサに接続された発光装置をさらに有することを特徴とする請求項１に記載の顔面マッサージのための電気的刺激装置。
【００１０】
（７）  上記（１）の顔面マッサージのための電気的刺激装置であって、前記スイッチは、生成する前記パルス波の強さを、それぞれ強めおよび弱める２つのボタンを含むことを特徴とする。
【００１１】
（８）  上記（７）の顔面マッサージのための電気的刺激装置であって、前記パルス波の強さを強める前記ボタンは、装置の始動のためのパワーオンスイッチであることを特徴とする。
【００１２】
（９）  上記（７）の顔面マッサージのための電気的刺激装置であって、前記パルス波の強さを弱める前記ボタンは、順次前記パルス波の強さを弱めた後、装置の電源を切るパワーオフスイッチであることを特徴とする。
【発明の効果】
【００１３】
上記本発明の顔面マッサージのための電気的刺激装置によれば、表皮に刺激を与えて、その周辺の血液循環を促進し、筋肉の収縮を活気付けることができる。したがって、しわや顔の筋肉のたるみが最小化され、皮膚年齢の進行を遅らせるように、顔の皮膚の緊張や弾力が維持される。
【００１４】
さらに、本発明の顔面マッサージのための電気的刺激装置は、人体に貫通処置することなく、筋電刺激（ＥＭＳ）を顔に伝達する着脱自在パッドを有する。したがって、組織への侵入がなく、より高い安全性が得られる。
【００１５】
さらに、本発明の顔面マッサージのための電気的刺激装置は、装置を維持するために電力を用いることによって、コストを低減する。したがって、ユーザにとって手ごろである。
【００１６】
本発明により提供される顔面マッサージのための電気的刺激装置は、パルス信号を生成する回路を含む。パルス信号は、導線を通って、上記パッドに取り付けられて２本の電極に伝送される。したがって、パッドが顔の皮膚に付着されているときに、ＥＭＳが与えられて、顔の筋肉が運動させられる。これにより、筋肉の緊張および強度が向上し、老化現象に対向できる。
【発明を実施するための最良の形態】
【００１７】
本発明の目的は、後述の好ましい実施形態の詳細な説明によって、当業者に明らかになる。
【００１８】
上述の一般的な説明および後述の詳細な説明は、共に、模範となり、請求の範囲に記載された発明をより詳細に説明する。
【００１９】
以下、添付図面に図示された実施例を参照しつつ、本発明の好ましい実施形態の詳細について説明する。なお、図面および詳細な説明において、可能な場合は、同じまたは同じような部分を言及するものには同じ参照番号を付す。
【００２０】
体の運動は、神経系によって、引き起こされる。筋肉は、骨格を完全なものに導く力を提供する。神経系は、中枢神経および末梢神経を含む。末梢神経系の神経繊維は、刺激に起因する中枢神経の反応を実行する。脳によって送られる運動メッセージは、神経細胞から次々に筋肉に伝達される刺激である。この刺激は、電圧変化をもたらす。すなわち、神経細胞の電圧値は、定常状態では−７０ｍＶであり、異常状態で＋３０ｍＶである。このように、刺激は、パルスとして波形を有する。
【００２１】
一方、筋電刺激（ＥＭＳ）は、医療技術として知られている。この技術は、伝導性のパッドまたは電極を利用し、外部から非常に弱い電流を筋肉または筋肉のグループに流し、それらの収縮を引き起こす。電極は、ＥＭＳ機械のような外部の電圧/電流源から、電気刺激信号を受ける。その刺激信号は、振幅、極性、周波数、波形などにより、調整可能である。ＥＭＳは、筋肉の緊張および強さを改善するために、機能性筋肉の一般的運動に有用である。
【００２２】
さらに、顔の状態は、年齢の第１印象を示す。乾燥皮膜、堅さおよび弾力の損失、しわ、および、たるみは、老化現象に伴う。これらの悪い容貌への表れが改良されれば、老化防止の効果が得られる。したがって、本発明は、この目標を達成するために、筋肉を運動させるようにＥＭＳの刺激を顔の皮膚に導く。
【００２３】
図１は本発明よって提供される好ましい第１実施形態の斜視図、図２は、本発明よって提供される好ましい第２実施形態の斜視図である。
【００２４】
図１に示すように、本発明により提供される顔面マッサージのための電気的刺激装置は、コントローラ１、およびパッド２を含む。コントローラ１は、ハウジング１１内部に設置される回路基板１４を含む。
【００２５】
少なくとも２つのボタン１２１、１２２がハウジング１１の表面に取り付けられている。それらのボタン１２１、１２２のうちボタン１２１は、装置がパワーオフの状態ではパワーオンし、装置がパワーオンされている状態では出力する刺激の強さを増加するために用いられる。他のボタン１２２は、刺激の強さを弱め、装置をパワーオフするために用いられる。この機能を実行するために、異なるボタンの押下の取り決めを従ってもよく、たとえば、装置がパワーオンの場合、ボタン１２２を押すことは、パワーがオフされるまで出力する刺激の強さを連続的に弱めていくことにしてもよい。
【００２６】
さらに、装置の電源がオンまたはオフされているかを示す発光装置１５が、ハウジング１１に設置されている。
【００２７】
回路基板１４は、２本の電極２１にそれぞれ接続される２本の導線１３を含む。電極２１は、固定装置によりパッド２に取り付けられる。パッド２は、１の面が顔の皮膚に付着可能である。コントローラ１およびパッド２は、導線１３の接続によって、分離されることができる。このようにコントローラ１が構成されているので、ユーザは、顔のマッサージの際に、手の中にコントローラ１を保持できる。
【００２８】
しかし、コントローラ１およびパッド２は、図２に示すように一緒に組み合わされることもできる。この好ましい実施形態においては、外部の導線１３が必要ない。
【００２９】
図３は、電気刺激装置の概略構成図である。
【００３０】
図示するように、回路基板１４は、マイクロプロセッサ１４１、および刺激発生器１４２を含む。刺激発生器１４２は、マイクロプロセッサ１４１により制御され、パルス信号を生成する。信号は、外部の導線１３を経て、電極２１に送信できる。ボタン１２のスイッチ、および、発光装置１５は、マイクロプロセッサ１４１に接続されている。ユーザがスイッチ１２を押下し、マイクロプロセッサ１４１が作動させられると、刺激が出力される。マイクロプロセッサ１４１は、また、装置のオン／オフ状態を示すために、発光装置１５を制御する。
【００３１】
図４は、電気刺激装置の動作を示すフローチャートである。
【００３２】
図示するように、装置がパワーオンされると、パルス信号が連続的に刺激発生器１４２から電極２１に送られる。出力する刺激の強さがユーザによって変更される場合、刺激発生器は、マイクロプロセッサ１４１により制御され、該変更に関してパルス波の振幅が調整される。動作サイクルが終わったあと、マイクロプロセッサ１４１は、再びユーザに作動されるまで、装置を自動的にパワーオフする。
【００３３】
動作サイクルは、図５に示すとおりである。
【００３４】
１０個のセッションを含む全部で連続３０分のサイクルがある。
【００３５】
第１セッションは、振動数１００Ｈｚでパルス幅１００μｓのパルス波を伴う刺激を連続して３分間出力する。第２セッションは、振動数１３０Ｈｚでパルス幅８０μｓのパルス波を伴う刺激を連続して３分間出力する。第３セッションは、振動数１００Ｈｚでパルス幅１００μｓのパルス波を伴う刺激を連続して４分間出力する。
【００３６】
第４セッションは、振動数８Ｈｚでパルス幅２０μｓのパルス波を伴う刺激を連続して２分間出力する。第５セッションは、振動数１００Ｈｚでパルス幅１００μｓのパルス波を伴う刺激を連続して４分間出力する。第６セッションは、振動数５Ｈｚでパルス幅３０μｓのパルス波を伴う刺激を連続して２分間出力する。第７セッションは、振動数１３０Ｈｚでパルス幅８０μｓのパルス波を伴う刺激を連続して４分間出力する。
【００３７】
第８セッションは、振動数８Ｈｚでパルス幅２０μｓのパルス波を伴う刺激を連続する２分間出力する。第９のセッションは、振動数１３０Ｈｚでパルス幅８０μｓのパルス波を伴う刺激を連続して４分間出力する。第１０セッションは、振動数５Ｈｚでパルス幅３０μｓのパルス波を伴う刺激を連続して２分間出力する。
【００３８】
図６は、顔面にパッドを付着する適用例を示す図である。
【００３９】
パッドを付着するのに好ましい箇所が３箇所ある。図６に示すように、第１の箇所３は、頬骨から唇の角までところである。この場所を刺激することによって、頬の筋肉を活動させ、引き上げる効果が得られる。
【００４０】
第２の箇所４は、頬骨から顎骨までのところである。この場所を刺激することによって、二重あごの形成により顔の形のくずれを防止する効果が得られる。
【００４１】
第３の箇所５は、こめかみから小鼻までのところである。この場所は、高感度な場所である。この場所を刺激することによって、この刺激を楽しむことができ、目の運動になるという効果が得られる。
【００４２】
さらに、これらの３箇所をマッサージすると、刺激を与えた周りの領域の血液循環が促進され、顔の皮膚のしわやたるみを最小化させるという共通の効果が得られる。
【００４３】
本発明の技術的範囲は、上記実施形態により制限されない。詳細な説明に明確に与えられ、または詳細な説明により暗示された内容に基づいて、様々なバリエーション、たとえば、様々な形状、構造、寸法、材料のタイプ、または製造プロセスは、技術的思想の範囲内において当業者によって実行されることができる。
【図面の簡単な説明】
【００４４】
【図１】本発明よって提供される好ましい第１実施形態の斜視図である。
【図２】本発明よって提供される好ましい第２実施形態の斜視図である。
【図３】本発明の構成を示すブロック図である。
【図４】本発明の操作の流れを示すフローチャートである。
【図５】本発明の動作サイクルを示す図である。
【図６】顔面にパッドを付着する適用例を示す図である。
【符号の説明】
【００４５】
１…コントローラ、
２…パッド、
３、４、５…刺激箇所、
１１…ハウジング、
１２、１２１、１２２…スイッチボタン、
１３…導線、
１４…回路基板、
１５…発光装置、
２１…電極、
１４１…マイクロプロセッサ、
１４２…刺激発生器。
【図１】
2005245585.tif 000003
【図２】
2005245585.tif 000004
【図３】
2005245585.tif 000005
【図４】
2005245585.tif 000006
【図５】
2005245585.tif 000007
【図６】
2005245585.tif 000008